(57)【特許請求の範囲】
【請求項１】
液体の介在により導電性を発揮する絶縁シートと導電性シートとが接合面全体において分散配置された接着剤により接合され、前記絶縁シートが前記導電性シート間に配置された液体感知シートと、
前記液体感知シートに設けられ、粘着性を有した粘着部材と
を有することを特徴とする液体検知センサー。
【請求項２】
さらに、前記液体感知シートの一方面を覆う透液シートを有しており、
前記導電性シートは、少なくとも一方が前記液体を通過させる貫通部を有しており、
前記粘着部材は、前記透液シートを固着する粘着材を有することを特徴とする請求項１に記載の液体検知センサー。
【請求項３】
前記液体感知シートの他方面を覆う透液シートを有することを特徴とする請求項２に記載の液体検知センサー。
【請求項４】
さらに、前記液体感知シートの周囲を巻回するように覆う透液シートを有しており、
前記導電性シートは、少なくとも一方が前記液体を通過させる貫通部を有しており、
前記粘着部材は、前記透液シートを固着する粘着材を有することを特徴とする請求項１に記載の液体検知センサー。
【請求項５】
前記粘着部材は、前記粘着材を覆う剥離シートを有することを特徴とする請求項２乃至４の何れか１項に記載の液体検知センサー。
【請求項６】
導電性シートの一部を露出して形成された端子部を有していることを特徴とする請求項５に記載の液体検知センサー。
【請求項７】
一方の前記導電性シートにおける前記端子部と、他方の前記導電性シートにおける前記端子部とは、厚み方向において互いに重複しないように配置されていることを特徴とする請求項６に記載の液体検知センサー。
【請求項８】
液体の介在により導電性を発揮する透液構造の絶縁シートと、前記絶縁シートの両面に接合された導電性シートとを備えており、前記導電性シートの少なくとも一方は、前記液体を通過させる貫通部を有しており、前記絶縁シートと前記導電性シートとは、接合面全体において分散配置された接着剤により接合された液体感知シートと、
前記液体感知シートに設けられ、粘着性を有した粘着部材と
を有することを特徴とする液体検知センサー。
【発明の詳細な説明】
【技術分野】
【０００１】
本発明は、水や油等の液体を検知する液体検知センサーに関する。
【背景技術】
【０００２】
従来、漏水を検知するセンサーとして、一対の金属製網状シートや電極テープ間を通水性の絶縁シートで接続し、これらシートの積層体の周縁部を接着剤で接着することにより一体化したものが提案されている。そして、使用時においては、漏水の検知部位にセンサーを載置や巻き付けたりして設置し、金属製網状シートや電極テープ間の電気抵抗値を測定することにより漏水を検知するようになっている（特許文献１及び２）。
【先行技術文献】
【特許文献】
【０００３】
【特許文献１】特開２００７−１４３８９５号公報
【特許文献２】特開平昭４−２１８５２号公報
【発明の概要】
【発明が解決しようとする課題】
【０００４】
ところで、上記従来のように、検知部位にセンサーを載置や巻き付けたりして設置する構成では、検知対象が振動や移動する場合、初期の設置位置に対してセンサーの位置ずれが起こり易いものとなり、漏水を確実に検知することが困難である。
【０００５】
本発明は、上記の問題を鑑みてなされたものであり、位置ズレの防止により漏水を確実に検知することができる液体感知シートを提供することを目的とする。
【課題を解決するための手段】
【０００６】
本発明は、下記構成を備える液体検知センサーであって、液体の介在により導電性を発揮する絶縁シートを導電性シート間に配置した液体感知シートと、前記液体感知シートに設けられ、粘着性を有した粘着部材とを有する。
【０００７】
上記の構成によれば、設置対象に粘着部材を粘着させることによって、液体感知シートを設置対象に固定することができる。これにより、設置対象が振動や移動した場合でも、設置対象と液体検知センサーとの位置関係を維持することができる。この結果、従来のように、液体検知センサーを載置していただけの場合と比較して、位置ずれが起こり難いため、漏液を確実に検知することができる。
【０００８】
本発明は、さらに、前記液体感知シートの一方面を覆う透液シートを有しており、前記導電性シートは、少なくとも一方が前記液体を通過させる貫通部を有しており、前記粘着部材は、前記透液シートを固着する粘着材を有しても良い。
【０００９】
上記の構成によれば、液体検知センサーを粘着部材により固定したときに、導電性シートの貫通部が塞がれることがない。
【００１０】
本発明は、前記液体感知シートの他方面を覆う透液シートを有しても良い。この構成によれば、液体感知シートの両面を透液シートにより保護することができる。
【００１１】
本発明は、  さらに、前記液体感知シートの周囲を巻回するように覆う透液シートを有しており、前記導電性シートは、少なくとも一方が前記液体を通過させる貫通部を有しており、前記粘着部材は、前記透液シートを固着する粘着材を有しても良い。
【００１２】
上記の構成によれば、液体感知シートの周囲を１枚の透液シートで覆うことができるため、液体感知シート１の一方面と他方面とを透液シートで覆う処理を１工程で行うことができる。
【００１３】
本発明における前記粘着部材は、前記粘着材を覆う剥離シートを有しても良い。上記の構成によれば、粘着材の粘着性を長期に亘って保持することができると共に、携帯性に優れたものになる。
【００１４】
本発明は、導電性シートの一部を露出して形成された端子部を有しても良い。上記の構成によれば、端子部に計測装置を接続することで容易に漏液を検知する準備が行える。
【００１５】
本発明は、一方の前記導電性シートにおける前記端子部と、他方の前記導電性シートにおける前記端子部とは、厚み方向において互いに重複しないように配置されていても良い。上記の構成によれば、端子部に計測装置を接続する作業を一層容易に行うことができる。
【００１６】
本発明は、液体の介在により導電性を発揮する透液構造の絶縁シートと、前記絶縁シートの両面に接合された導電性シートとを備えており、前記導電性シートの少なくとも一方は、前記液体を通過させる貫通部を有しており、前記絶縁シートと前記導電性シートとは、接合面全体において分散配置された接着剤により接合された液体感知シートと、前記液体感知シートに設けられ、粘着性を有した粘着部材とを有する。
【００１７】
上記の構成によれば、設置対象に粘着部材を粘着させることによって、液体感知シートを設置対象に固定することができる。これにより、設置対象が振動や移動した場合でも、設置対象と液体検知センサーとの位置関係を維持することができる。この結果、従来のように、液体検知センサーを載置していただけの場合と比較して、位置ずれが起こり難いため、漏液を確実に検知することができる。
【発明の効果】
【００１８】
位置ズレの防止により漏水を確実に検知することができる。
【図面の簡単な説明】
【００１９】
【図１】液体検知センサーの説明図である。
【図２】液体検知センサーの断面構造を示す説明図である。
【図３】液体検知センサーの分解斜視図である。
【図４】液体検知センサーの使用形態を示す説明図である。
【図５】液体検知センサーの説明図である。
【図６】液体検知センサーの説明図である。
【図７】液体検知センサーの説明図である。
【図８】液体検知センサーの説明図である。
【図９】液体感知シートの説明図である。
【図１０】貫通部と接着剤との配置の関係を示した説明図である。
【図１１】貫通部と接着剤との配置の関係を示した説明図である。
【図１２】貫通部と接着剤との配置の関係を示した説明図である。
【図１３】貫通部と接着剤との配置の関係を示した説明図である。
【図１４】液体感知シートの要部断面図である。
【図１５】液体感知シートの説明図である。
【発明を実施するための形態】
【００２０】
以下、本発明の好適な実施の形態について、図面を参照しつつ説明する。
【００２１】
（液体検知センサー：全体構成）
図１に示すように、本実施形態に係る液体検知センサー２０１は、液体を感知する液体感知シート１と、設置対象に貼り付け可能な粘着性を有した粘着部材２０２とを有している。液体感知シート１は、液体の介在により導電性を発揮する絶縁シート４を導電性シート３・５間に配置した構成にされている。導電性シート３・５は、少なくとも一方が液体を通過させる貫通部３１・５１を有している。さらに、液体検知センサー２０１は、液体を透過させる透液シート２０３を有している。
【００２２】
具体的には、液体感知シート１は、液体の介在により導電性を発揮する透液構造の絶縁シート４と、絶縁シート４の両面に接合された導電性シート３・５とを備えている。導電性シート３・５の少なくとも一方は、液体を通過させる貫通部３１・５１を有している。絶縁シート４と導電性シート３・５とは、接合面全体において分散配置された接着剤７により接合されている。このように構成された液体感知シート１に粘着性を有した粘着部材２０２及び透液シート２０３が設けられることによって、液体検知センサー２０１は、ガーゼ付き絆創膏のガーゼ内側に液体感知シート１を配置した構成に類似している。
【００２３】
ここで、『液体』は、液体感知シート１による液状の感知対象物であり、液状であれば、材質や物性に限定されるものではない。液状は、絶縁シート４に含浸する程度の流動性を有することを意味する。『液体』の種類としては、純水や不純物を含む水の他、酸、アルカリ、油、有機溶剤等の有機物であってもよい。また、『液体』の物性は、液体感知シート１が使用される環境温度下で液化している物質であれば良い。
【００２４】
上記のように構成された液体検知センサー２０１は、図４に示すように、人体等の設置対象３０２に粘着部材を粘着させることによって、液体感知シート１を設置対象３０２に固定することができる。これにより、設置対象３０２が振動や移動した場合でも、設置対象３０２と液体検知センサー２０１との位置関係を維持することができる。この結果、液体検知センサー２０１は、位置ずれが起こり難いため、漏液を確実に検知することが可能になっている。
【００２５】
尚、液体検知センサー２０１は、滅菌処理が施されていることが好ましい。特に、液体検知センサー２０１は、エチレンオキサイドガス（ＥＯＧ）による滅菌処理が施されていることが好ましい。また、液体感知シート１は、液体を感知する機能を備えていれば、任意の構成を採用することができる。絶縁シート４を導電性シート３・５間に配置した構成の液体感知シート１の詳細については後述する。
【００２６】
（液体検知センサー：端子部２０１１ａ・２０１１ｂ）
液体検知センサー２０１は、図２にも示すように、２つの端子部２０１１ａ・２０１１ｂを有している。これらの端子部２０１１ａ・２０１１ｂは、液体感知シート１における導電性シート３・５の一部を露出して形成されている。端子部２０１１ａ・２０１１ｂの先端部は、透液シート２０３の外側に位置されている。これにより、端子部２０１１ａ・２０１１ｂは、液体感知シート１を設置する準備段階等のときに、外部に露出した状態になっているため、計測装置３０１の信号線に接続する作業を簡単化している。
【００２７】
また、端子部２０１１ａ・２０１１ｂは、導電性シート３・５の一部を用いて形成されているため、新たな部材を用いて端子部２０１１ａ・２０１１ｂを形成する場合よりも、液体検知センサー２０１の部品点数を少なくすることを可能にしている。さらに、端子部２０１１ａ・２０１１ｂは、厚み方向において互いに重複しないように配置されている。これにより、端子部２０１１ａ・２０１１ｂは、計測装置３０１を接続する作業を一層容易に行うことを可能にしている。
【００２８】
尚、本実施形態において、端子部２０１１ａ・２０１１ｂを厚み方向において互いに重複しないように配置した構成について説明しているが、これに限定されるものではない。即ち、図５に示すように、端子部２０１１ａ・２０１１ｂを厚み方向において絶縁シート４を介して重複するように配置した構成にされていても良い。さらに、図６に示すように、端子部２０１１ａ・２０１１ｂは、粘着部材２０２から外部に露出されていても良い。
【００２９】
（液体検知センサー：粘着部材２０２）
液体検知センサー２０１の粘着部材２０２は、図３にも示すように、平面視四角形状の外形を有し、所定の厚みを有した平板状に形成されている。ここで、所定の厚みとは、液体検知センサー２０１を設置対象３０２の形状に沿って湾曲や変形させることができると共に、設置対象３０２に貼り付けたときに変形状態を維持することができる程度の厚みを意味する。尚、液体検知センサー２０１は、平面視四角形状に限定されるものではなく、三角形状や五角形状等の多角形状であっても良いし、楕円形状や円形状であっても良い。
【００３０】
円形状の液体検知センサー２０１としては、図８に示すように、厚み方向において絶縁シート４を介して重複するように配置された端子部２０１１ａ・２０１１ｂを有した構成が例示される。この構成の場合には、端子部２０１１ａ・２０１１ｂを粘着部材２０２の粘着面から引き起こした後、端子部２０１１ａと２０１１ｂをそれぞれ接触しないように一方を折り曲げたり、絶縁材料を介在させるなどして、図４と同様に端子部２０１１ａ・２０１１ｂと計測装置３０１を接続する信号線末端の接続具（クリップ）で挟み込む作業を行うことによって、クリップの一方側と他方側とを端子部２０１１ａ・２０１１ｂにそれぞれ接続させることができる。よって、端子部２０１１ａ・２０１１ｂの重複配置より、端子部２０１１ａ・２０１１ｂが並列配置された構成の場合よりも、液体検知センサー２０１を小型化することが可能になる。
【００３１】
（液体検知センサー：透液シート２０３）
透液シート２０３は、液体感知シート１の外形状と同一形状である四角形状に形成されていると共に、液体感知シート１よりも大きなサイズに形成されている。尚、液体感知シート１よりも大きなサイズであれば、四角形状に限定されるものではない。
【００３２】
透液シート２０３は、中心部において液体感知シート１の一方面を覆うと共に、外周部において粘着材２０２２に固着されている。これにより、透液シート２０３は、液体感知シート１の全体を覆うことにより液体感知シート１の脱落を防止している。さらに、透液シート２０３は、液体感知シート１を一方面側から他方面側（粘着材２０２２側）に押圧することによって、液体感知シート１の他方面を粘着材２０２２に押圧し、透液シート２０３と粘着材２０２２との強固な固着を実現している。
【００３３】
透液シート２０３は、液体を透過させる機能を有している。これにより、透液シート２０３は、液体検知センサー２０１が粘着材２０２２により設置されたときに、導電性シート３・５の貫通部３１・５１を塞ぐことがないと共に、液体感知シート１の一方面を保護することによって、液体検知センサー２０１の取り扱いを容易化させている。具体的に説明すると、透液シート２０３は、液体を透過させるガーゼにより形成されている。尚、透液シート２０３は、液体を透過させる機能を発揮する透液構造であれば、材質や形状に限定されるものではない。例えば、不織布構造、連続気泡等を有した多孔性構造、無孔性材料に１以上の孔が形成された構造、無孔性材料に１以上のスリットが形成された構造が例示される。
【００３４】
透液シート２０３の厚みは、５０〜２０００μｍが好ましい。また、透液シート２０３は、感知対象物である液体に対して親液性を有していることが好ましい。例えば、液体が水であれば、親液性は親水性と称される。親液性を有した構成であると、僅かな液体であっても透液シート２０３を透過するため、少量の液体でも液体感知シート１に液体を到達させることができる。
【００３５】
尚、親液性は、透液シート２０３の材質自体が親液性を有していたり、疎液性の材質の表面に親液性の層が形成されたものでも良い。例えば、透液シート２０３は、透液構造における液体との接触部の少なくとも一部に、液体に対して界面活性を有する界面活性剤が付着されていても良い。この場合には、感知対象の液体の種類に応じて界面活性剤の種類を使い分けることによって、水、油など検知対象に応じた液体検知センサー２０１とすることができる。
【００３６】
さらに、透液シート２０３は、液体により色が変化する着色部材を有していても良い。着色部材としては、水や油等の溶媒からなる液体に溶解するカプセル内に染料等の着色剤を密封した構成を例示することができる。この場合には、液体によりカプセルが溶けたときに、密封されていた着色剤が流れ出ることによって、透液シート２０３の色が変化するため、視覚により漏液を感知可能な液体検知センサー２０１とすることができる。
【００３７】
さらに、透液シート２０３は、液体に溶解してイオン化する溶解材料（無機塩類：塩化ナトリウム、硫酸ナトリウム、塩化カルシウム、水酸化マグネシウムなど）が付着されていても良い。この場合には、液体自体に導電性がない液体（油等）でも、この液体によりイオン化した溶解材料が液体感知シート１における絶縁シート４を導電性に変化させることが可能になる。
【００３８】
透液シート２０３は、さらに液体感知シート１と粘着材２０２２との間に設けられていても良い。この場合における透液シート２０３は、粘着材２０２２と同一サイズ以下で、且つ、液体感知シート１の一方面を覆う透液シート２０３のサイズ以下であることが好ましい、この場合には、液体感知シート１の一方面及び他方面が透液シート２０３により挟持された状態になるため、液体感知シート１の両面から液体を感知することが可能になる。
【００３９】
また、図７に示すように、透液シート２０３は、液体感知シート１の周囲を巻回するようにして設けられていても良い。この場合には、１枚の透液シート２０３で液体感知シート１の一方面と他方面とが覆われるため、液体感知シート１の一方面と他方面とを透液シート２０３で覆う処理を１工程で行うことができる。
【００４０】
（液体検知センサー：粘着部材２０２：粘着材２０２２）
粘着部材２０２は、透液シート２０３の少なくとも一部を固着する機能を有している。尚、以降の説明においては、粘着材２０２２が粘着用フィルム２０２３に設けられた構成について説明するが、これに限定されるものではなく、粘着材２０２２が液体感知シート１の他方面に設けられても良い。透液シート２０３及び液体感知シート１を固着する粘着材２０２２は、アクリル系、天然ゴム、合成ゴム系を用いることができる。
【００４１】
（液体検知センサー：粘着部材２０２：粘着用フィルム２０２３）
上記の粘着材２０２２は、粘着用フィルム２０２３の一方面に形成されている。粘着用フィルム２０２３は、粘着材２０２２のベースフィルムとなるものであり、液体感知シート１における透液シート２０３とは反対側の面に配置されている。粘着用フィルム２０２３は、液体感知シート１及び端子部２０１１ａ・２０１１ｂよりも大きなサイズに形成されている。これにより、粘着用フィルム２０２３は、粘着材２０２２の保持と共に、液体感知シート１及び端子部２０１１ａ・２０１１ｂをカバーすることによって、液体感知シート１及び端子部２０１１ａ・２０１１ｂを衝撃や擦れによる外力から保護するようになっている。さらに、粘着用フィルム２０２３は、液体検知センサー２０１を強度アップさせるようになっている。
【００４２】
粘着用フィルム２０２３は、貫通孔が形成されていても良い。さらに、粘着用フィルム２０２３は、界面活性剤や、液体に溶解してイオン化する溶解部材が付着された貫通孔を有していても良い。
【００４３】
また、粘着用フィルム２０２３は、紙や不織布で形成されていても良いし、エポキシ系、ポリエステル系、アクリル系、フェノール系、及びウレタン系などの樹脂、またはこれらの混合物により形成されていても良い。尚、粘着用フィルム２０２３の厚みは２５〜２００μｍであるが、特に限定される必要はなく適宜設定可能である。
【００４４】
（液体検知センサー：粘着部材２０２：剥離シート２０２４）
粘着部材２０２は、図２に示すように、粘着材２０２２を覆う剥離シート２０２４を有していても良い。剥離シート２０２４は、粘着材２０２２の粘着性を長期に亘って維持することを可能にすると共に、必要なときにだけ液体検知センサー２０１の粘着性を発揮させることによって、液体検知センサー２０１の携帯性を優れたものにする。さらに、剥離シート２０２４は、粘着用フィルム２０２３とで液体感知シート１及び端子部２０１１ａ・２０１１ｂの両面を保護することを可能にしている。
【００４５】
（液体検知センサーの製造方法）
上記の構成において、液体検知センサー２０１の製造方法を説明する。尚、液体感知シート１の製造方法については後述する。
【００４６】
先ず、液体検知センサー２０１の数倍や数十倍以上の幅寸法を有した長尺の粘着用フィルム２０２３がロール状に巻回された状態で準備される。粘着用フィルム２０２３が巻き出され、粘着用フィルム２０２３の上面（一方面）全体に粘着材２０２２が塗布される。そして、液体検知センサー２０１の幅寸法及び長さ寸法となるサイズに切り出され、端子部２０１１ａ・２０１１ｂが形成された液体感知シート１が、粘着用フィルム２０２３の幅方向及び長さ方向に載置される。これにより、粘着用フィルム２０２３上に複数の液体感知シート１が幅方向及び長さ方向のマトリクス状に配置された状態になる。
【００４７】
この後、液体感知シート１よりも大きなサイズに切り出された透液シート２０３が各液体感知シート１をそれぞれ覆うように載置される。また、必要に応じて粘着用フィルム２０２３と同一サイズの剥離シート２０２４が透液シート２０３の上方から被せられる。図示しない押圧装置により透液シート２０３が押圧されることによって、液体感知シート１及び透液シート２０３が粘着用フィルム２０２３上の粘着材２０２２に固着される。これにより、液体感知シート１と粘着部材２０２とが一体化される。このようにして複数の液体検知センサー２０１をマトリクス状に配置した中間製品シートが作成されると、中間製品シートに対する裁断や打ち抜きが行われることによって、単体の液体検知センサー２０１が作成される。
【００４８】
（液体検知センサーの適用例）
上記のようにして製造されたシート状の液体検知センサー２０１は、複数枚が一括された積層状態にまとめられる。そして、これらの液体検知センサー２０１が作業員のポケットや道具ケース等の収納手段に保管される。即ち、液体検知センサー２０１は、ガーゼ付き絆創膏のように、作業員に携帯された状態で保管することが可能になっている。
【００４９】
図４に示すように、漏液の有無を検知したい機器や箇所の設置対象３０２が存在する場合は、先ず、剥離シート２０２４を備えた液体検知センサー２０１であれば、剥離シート２０２４を剥がし、剥離シート２０２４を備えない液体検知センサー２０１であれば、そのままの状態で準備される。
【００５０】
次に、端子部２０１１ａ・２０１１ｂが粘着材２０２２の形成面から引き上げられ、計測装置３０１の信号線の末端に取り付けられたクリップに挟まれる。粘着材２０２２の形成面が設置対象３０２に当接するように、液体検知センサー２０１が移動され、液体検知センサー２０１が設置対象３０２に押し付けられる。これにより、液体感知シート１が透液シート２０３を介して設置対象３０２の所望箇所に当接した状態で、液体検知センサー２０１が粘着することになる。この結果、設置対象３０２が移動や振動した場合でも、液体検知センサー２０１が位置ずれを起こすことなく長期間に亘って漏液を検知し続けることとなる。
【００５１】
設置対象３０２において漏液が起こると、図１に示すように、液体が透液シート２０３を透過して液体感知シート１の表面に付着する。液体は、通過孔２１及び貫通部３１を通過して絶縁シート４の一方面に到達し、絶縁シート４の透液構造により絶縁シート４内部に浸透する。そして、絶縁シート４の他方面に液体が到達すると、絶縁シート４が導電性を発揮し、導電性シート３・５間が絶縁状態から導電状態に切り替わる。この結果、図４の計測装置３０１が電気抵抗の変化を検出することによって、漏液が検出されることになる。
【００５２】
この後、液体を感知した液体検知センサー２０１が作業員により設置対象３０２から剥がされ、未使用の液体検知センサー２０１に交換される。このように、液体検知センサー２０１がガーゼ付き絆創膏のような使い捨ての使用形態で用いることが可能になる。尚、使用済みの液体検知センサー２０１は、浸み込んだ液体が乾燥されることによって、再使用されても良い。
【００５３】
尚、設置対象３０２としては、液体検知センサー２０１を医療に適用する場合において、人体の腕や足等が例示される。この場合において、透析や輸血、点滴等の治療中に留置針が抜け、血液・薬液が漏れる場合が起こり得るが、液体検知センサー２０１を穿刺部に貼り付けておけば、血液・薬液の液漏れを検知することができる。この際、穿刺部に液体検知センサー２０１を直接貼り付けるため、少量の液漏れでも検知することができる。
【００５４】
（液体検知センサー：液体感知シート１）
次に、液体検知センサー２０１に用いられる液体感知シート１について説明する。
図９に示すように、液体感知シート１は、液体の介在により導電性を発揮する透液構造の絶縁シート４と、絶縁シート４の両面に接合された導電性シート３・５とを備えている。導電性シート３・５は、液体を通過させる貫通部３１・５１を有している。絶縁シート４と導電性シート３・５とは、接合面全体において分散配置された接着剤７により接合されている。換言すれば、液体感知シート１は、２枚の導電性シート３・５間に絶縁シート４が接合状態で配置された構成を有している。
【００５５】
上記のように構成された液体感知シート１は、接合面全体において分散配置された接着剤により絶縁シート４と導電性シート３・５とを面全体で接合することができるため、所望のサイズや形状に切り取っても、同一の感知性能及び接合強度を有した液体感知シートとして用いることができる。これにより、液体感知シート１は、サイズや形状を任意に変更できるため、適用対象の自由度が高いものになっている。
【００５６】
また、液体感知シート１は、接合面全体において分散配置された接着剤により絶縁シート４と導電性シート３・５とを接合するため、長尺の絶縁シート４及び導電性シート３・５に接着剤を塗布することによって、連続的に製造することも可能になっている。さらに、連続的に製造された液体感知シート１は、製造途中で裁断することによって、所定長に切り揃えた短尺タイプの液体感知シートとして出荷及び保管することができると共に、長尺の液体感知シート１をロール状に巻回した液体感知ロール１０として出荷及び保管することもできる。即ち、液体感知シート１は、大量生産に適した構成を有している。
【００５７】
また、液体感知シート１は、２枚の保護シート２・６を有している。保護シート２・６は、液体感知シート１の表面（一方面）及び裏面（他方面）に位置するように、導電性シート３・５における絶縁シート４とは反対側の面にそれぞれ配置されている。これらの保護シート２・６は、液体感知シート１を衝撃や擦れによる外力からの保護および液体感知シートの強度アップや絶縁機能を持たしている。これらの保護シート２・６は、導電性シート３・５の貫通部３１・５１に重複する通過孔２１・６１を有している。
【００５８】
（液体検知センサー：液体感知シート１の絶縁シート４）
液体感知シート１の厚み方向中心部に配置された絶縁シート４は、液体の介在により導電性を発揮すると共に、液体を透過させる透液構造を有している。即ち、絶縁シート４は、液体の透過により全体として絶縁性から導電性に変化するように構成されている。
【００５９】
絶縁シート４が備える『透液構造』は、感知対象物である液体を透過させる構造であれば、材質や形状に限定されるものではない。例えば、不織布構造、連続気泡等を有した多孔性構造、無孔性材料に１以上の孔が形成された構造、無孔性材料に１以上のスリットが形成された構造が例示される。絶縁シート４が不織布や紙である場合には、僅かな液体であっても毛細管現象により絶縁シート４に浸透して絶縁状態から導電状態に変化することになるため、高い感知精度の液体感知シート１とすることができる。
【００６０】
絶縁シート４の材質は、液体との非接触時において電気抵抗の大きな材質であれば、特に限定されるものではない。
【００６１】
絶縁シート４の材質としては、布や紙等のセルロースやセラミック、エンジニアリングプラスチックが例示される。エンジニアリングプラスチックとしては、ポリプロピレン、架橋ポリエチレン、ポリエステル、ポリベンツイミダゾール、アラミド、ポリイミド、ポリイミドアミド、ポリエーテルイミド、ポリフェニレンサルファイド（ＰＰＳ）、ポリエチレンナフタレート（ＰＥＮ）などが挙げられる。
【００６２】
具体的には、ユニチカ株式会社製（登録商標：ＭＡＲＩＸ）のポリエステル樹脂からなる不織布を絶縁シート４に用いることができる。この不織布は、ポリエステル繊維を接着する樹脂は水溶性のアクリル樹脂であるため、親水性を有している。尚、上記の不織布の製造法はスパンボンド法である。不織布品番が＃２０５０７ＷＴＤにおいては、目付けが５０ｇ／ｍ２、平均厚みが１５５μｍである。不織布品番が＃２０６０４ＦＬＤにおいては、目付けが６０ｇ／ｍ２、平均厚みが１５０μｍである。不織布品番が＃１０６０６ＷＴＤにおいては、目付けが６０ｇ／ｍ２、平均厚みが２１５μｍ（嵩高性あり）である。
【００６３】
絶縁シート４の厚みは、１〜５０００μｍが好ましい。また、絶縁シート４は、感知対象物である液体に対して親液性を有していることが好ましい。例えば、液体が水であれば、親液性は親水性と称される。親液性を有した構成であると、僅かな液体であっても絶縁シート４内に浸透して絶縁状態から導電状態に変化するため、少量の液体でも感知することができたり、感知までの時間を短縮する液体感知シート１とすることができる。
【００６４】
尚、親液性は、絶縁シート４の材質自体が親液性を有していたり、疎液性の材質の表面に親液性の層が形成されたものでも良い。例えば、絶縁シート４は、透液構造における液体との接触部の少なくとも一部に、液体に対して界面活性を有する界面活性剤が付着されていても良い。この場合には、感知対象の液体の種類に応じて界面活性剤の種類を使い分けることによって、水、油など感知対象を選択可能な液体感知シート１とすることができる。
【００６５】
さらに、絶縁シート４は、液体により色が変化する着色部材を有していても良い。着色部材としては、水や油等の溶媒からなる液体に溶解するカプセル内に染料等の着色剤を密封した構成を例示することができる。この場合には、液体によりカプセルが溶けたときに、密封されていた着色剤が流れ出ることによって、絶縁シート４の色が変化するため、視覚により漏液を感知可能な液体感知シート１とすることができる。
【００６６】
さらに、絶縁シート４は、液体に溶解してイオン化する溶解材料（無機塩類：塩化ナトリウム、硫酸ナトリウム、塩化カルシウム、水酸化マグネシウムなど）が付着されていても良い。この場合には、液体自体に導電性がない液体（油等）でも、該液体によりイオン化した溶解材料が絶縁シート４を導電性に変化させることが可能になる。
【００６７】
（液体検知センサー：液体感知シートの導電性シート３・５）
上記の絶縁シート４の両面には、導電性を有した導電性シート３・５が接合されている。導電性シート３・５の厚みの下限は、０．０５μｍであり、厚みの上限は、２００μｍである。尚、スパッタや蒸着法により導電性シート３・５を形成した場合には、０．０５〜１μｍの厚みが好ましい。導電インキ印刷法により導電性シート３・５を形成した場合には、２〜２００μｍの厚みが好ましい。金属箔で導電性シート３・５を形成した場合には、２〜１００μｍの厚みであることが好ましい。
【００６８】
また、導電性シート３・５は、液体を通過させる貫通部３１・５１を有している。貫通部３１・５１は、円形状の孔により形成されている。貫通部３１・５１における孔径（直径）は、液体の種類により試験・実験などで適宜決めればよい。また、貫通部３１・５１の開孔率は、１〜９０％の範囲であれば良いが、用途に合わせて適宜調整することが好ましい。
【００６９】
尚、貫通部３１・５１の孔形状は、円形状の他、長穴形状、楕円形状、三角形や四角形等の多角形状であってもよい。貫通部３１・５１の孔サイズは、毛細管現象を引き起こす程度に設定されていても良いし、液体の液滴よりも大きなサイズであっても良い。また、貫通部３１・５１は、各種の形状やサイズの組み合わせであっても良い。例えば、打ち抜き加工により形成された円形状や楕円形状、三角形状、四角形状、五角形状、六角形状などの外径は、０．１〜３０ｍｍが好ましい。
【００７０】
さらに、貫通部３１・５１は、スリットであっても良い。スリットの形状としては、直線、−、＝、十字、Ｖ印であってもよい。スリット長さは、３〜５ｍｍが好ましい。スリットの場合でも、毛細管現象により液体の透過を促進することが可能になる。換言すれば、貫通部３１・５１は、孔及びスリットの少なくとも一つで形成されていれば良い。これにより、導電性シート３・５は、孔及びスリットの１以上の組み合わせにより多様な感度の液体感知シート１とすることが可能になる。
【００７１】
具体的に説明すると、液体感知シート１は、図１０に示すように、円形状の貫通部３１・５１が長手方向及び幅方向のマトリックス状に配置されていても良い。尚、配置は面全体において均等に配置されていることが好ましい。また、液体感知シート１は、図１１に示すように、幅方向の両端部にかけて形成された長穴形状の貫通部３１・５１が所定間隔をあけて長手方向に配置されていても良い。また、液体感知シート１は、図１２に示すように、長方形状の貫通部３１・５１が幅方向、長手方向及び傾斜方向からなる格子状に配置されていても良い。この構成によれば、所定形状に切り取る作業が容易になる。また、液体感知シート１は、図１３に示すように、円形状の貫通部３１・５１とスリット状の貫通部３１・５１とが交互に配置されていても良い。
【００７２】
さらに、液体感知シート１は、図１０〜図１３の組み合わせであっても良いし、孔部分がスリットに置き換えられていても良い。全ての貫通部３１・５１をスリットとした場合には、ロール等の台部材に形成された複数の刃部を用いて導電性シート３・５をカットすることにより貫通部３１・５１を形成することができる。これにより、導電性シート３・５を打ち抜いて孔を形成する場合のように、孔部分の打ち抜き屑が残らないため、屑の発生を最小限に抑制することができる。
【００７３】
導電性シート３・５は、導電性を有すれば、どのような材質であっても構わないが、アルミや銅等の金属であることが好ましい。導電性シート３・５を形成する金属材料としては、ニッケル、銅、銀、錫、金、パラジウム、アルミニウム、クロム、チタン、及び、亜鉛の何れか、またはこれらの２つ以上を含む合金等であってもよい。
【００７４】
また、導電性シート３・５は、金属層であることが好ましい。ここで、金属層とは、金属箔及び金属薄膜を含む概念である。導電性シート３・５が金属層であると、分散配置された接着剤７の隙間の領域が導電性シート３・５の露出面となり、この露出面が平坦状の金属層（導電性シート３・５）になるため、貫通部３１・５１を除いた部分全体で導電状態の有無を感知することができる。
【００７５】
さらに、導電性シート３・５は、金属箔であることが特に好ましい。この場合には、電気抵抗が小さく感知時間を短縮することができる。
【００７６】
尚、導電性シート３・５は、圧延加工による金属箔、電解による金属箔（特殊電解銅箔など）に限定されず、真空蒸着、スパッタリング、ＣＶＤ法、ＭＯ（メタルオーガニック）、メッキ、印刷法などにより形成される金属薄膜であっても良い。
【００７７】
また、導電性シート３・５は、導電性接着剤により形成されていても良い。この場合には、導電性接着剤の塗布により導電性シート３・５を形成することができるため、液体感知シート１を容易に得ることができる。導電性接着剤しては、導電性粒子と接着性樹脂からなる混合体であり、１００〜２００℃で加熱圧着可能な接着剤である。導電性粒子は、２〜５０μｍの平均粒子径を有する金属粉又は低融点金属粉であるとともに、接着性樹脂１００重量部に対し１０〜４００重量部配合されている。
【００７８】
また、図９に示すように、液体感知シート１は、一方の導電性シート３と他方の導電性シート５との貫通部３１・５１同士が重ならないように配置されている。即ち、一方の導電性シート３の貫通部３１が他方の導電性シート５で完全に塞がれると共に、他方の導電性シート５の貫通部５１が一方の導電性シート３で完全に塞がれた状態にされている。これにより、例えば、一方の導電性シート３の貫通部３１から絶縁シート４に透過した液体が他方の導電性シート５で堰き止められるため、確実に感知する液体感知シート１とすることができる。尚、液体感知シート１は、導電性シート３・５の貫通部３１・５１同士が一部が重なっていても良い。
【００７９】
また、導電性シート３・５は、厚み及び材質が同一であると共に、貫通部３１・５１の形状、サイズ及び開孔率が同一構成にされていることが好ましい。これにより、液体感知シート１の何れの面においても同一の感知性能を発揮するため、感知対象となる液体を感知する面に注意して取り付ける作業の必要性を解消することが可能なっている。
【００８０】
尚、一方の導電性シート３と他方の導電性シート５は、異なる構成にされていても良い。例えば、図１０〜図１３の組み合わせであっても良い。導電性シート３・５が異なる構成である場合には、導電性シート３・５の面により感知性能を異ならせることができるため、感知対象物である液体の適用対象を拡大することができると共に、２種類の感度を持つ液体感知シート１とすることができる。
【００８１】
尚、導電性シート３・５の感知性能を異ならせる場合には、作業員が感知性能を見分けることができるように、導電性シート３・５が色分けや記号表記等で識別可能にされていることが好ましい。また、液体感知シート１は、図１４に示すように、導電性シート３・５の何れか一方に貫通部３１・５１を有していても良い。即ち、液体感知シート１は、導電性シート３・５の少なくとも一方に貫通部３１・５１を有していれば良い。
【００８２】
導電性シート３・５における貫通部３１・５１は、液体との接触部の少なくとも一部に、液体に対して界面活性を有する界面活性剤が付着されていても良い。尚、界面活性剤は、絶縁シート４に用いるものと同一のものを用いることができる。この場合には、界面活性剤により液体が貫通部３１・５１を介して絶縁シート４に到達し易くなるため、僅かな液体であっても絶縁シート４を絶縁状態から導電状態に変化させることが可能になる。また、感知対象の液体の種類に応じて界面活性剤の種類を使い分けることによって、例えば、水、油など感知対象を選択可能な液体感知シート１とすることができる。なお、油の場合は絶縁性であるので、貫通部３１・５１、絶縁シートにイオン化する溶解部材を付着させておく必要がある。界面活性剤は、導電性シート３・５と絶縁シート４とに付着されていても良いし、何れか一方に付着されていても良い。
【００８３】
（液体検知センサー：液体感知シートの接着剤７）
上記のように構成された絶縁シート４と導電性シート３・５とは、接合面全体において分散配置された接着剤７により接合されている。ここで、『接合面全体において分散配置』は、複数の分断された線状、連続した線状、複数の点状を含む概念である。接着剤７は、分散されていることが好ましい。また、接着剤７は、貫通部３１・５１を避けて配置されていても良いし、一部が重複して配置されていても良い。
【００８４】
接着剤７の種類を詳細に説明すると、無機系接着剤として水ガラスが例示される。天然系接着剤としては、カゼイン接着剤、天然ゴム系、天然ゴムラテックス、デンプン系、膠、及びフィブリンが例示される。また、合成系接着剤としては、溶剤系、水溶系、及びホットメルト（以下、「ＨＭ」という場合がある）系が例示される。
【００８５】
具体的には、溶剤系の合成系接着剤としては、アクリル樹脂系、アクリル樹脂系粘着、α−オレフィン系接着剤、ウレタン樹脂系接着剤、エポキシ樹脂系接着剤、塩化ビニル樹脂溶剤系接着剤、クロロプレンゴム系接着剤、シアノアクリレート系接着剤、シリコーン系接着剤、スチレン−ブタジエンゴム溶液系接着剤、ニトリルゴム系接着剤、ニトロセルロース接着剤、変成シリコーン系接着剤、ポリイミド系接着剤、ポリ酢酸ビニル樹脂溶液系接着剤、ポリスチレン樹脂溶剤系接着剤、ポリビニルアルコール系接着剤、ポリビニルピロリドン樹脂系接着剤、ポリビニルブチラール樹脂系接着剤、ポリベンズイミダソール接着剤、ポリメタクリレート樹脂溶液系接着剤が例示される。
【００８６】
水溶系の合成系接着剤としては、エーテル系セルロ−ス、アクリル樹脂エマルジョン接着剤、ウレタン樹脂エマルジョン接着剤、エチレン−酢酸ビニル樹脂エマルジョン接着剤、エポキシ樹脂エマルジョン接着剤、酢酸ビニル樹脂エマルジョン接着剤、水性高分子−イソシアネート系接着剤、スチレン−ブタジエンゴム系ラテックス接着剤、フェノール樹脂系接着剤、変成シリコーン系接着剤、メラミン樹脂系接着剤、ユリア樹脂系接着剤、レゾルシノール系接着剤が例示される。
【００８７】
ＨＭ系の合成系接着剤としては、エチレン−酢酸ビニル樹脂ホットメルト接着剤、反応性ホットメルト接着剤、ポリアミド樹脂ホットメルト接着剤、ポリウレタン樹脂ホットメルト接着剤、ポリオレフィン樹脂ホットメルト接着剤が例示される。
【００８８】
上記のように例示した接着剤の中ではＨＭ系が好ましい。この理由は他の接着剤に比べて溶剤や水などが含まれておらず、硬化した際の量と硬化前の量とが変わらないので、接着剤の量を少なくできるため、パターン通りに塗布できるからである。ＨＭ系のエチレン−酢酸ビニル樹脂ホットメルト接着剤やポリアミド樹脂ホットメルト接着剤、ポリウレタン樹脂ホットメルト接着剤などのパターンコートが好ましい。
【００８９】
また、接着剤７は、導電性接着剤を用いることができる。接着剤７に導電性接着剤を用いた場合には、接着剤７自体に導電性を持たせることができるため、液体感知シート１の感知性能を向上させることができる。導電性接着剤は、等方導電性接着剤及び異方導電性接着剤の何れを用いても良い。
【００９０】
（液体検知センサー：液体感知シートの保護シート２・６）
導電性シート３・５における絶縁シート４とは反対側の面には、保護シート２・６がそれぞれ配置されている。これらの保護シート２・６は、導電性シート３・５が直接外部に露出しないようにカバーすることによって、液体感知シート１を衝撃や擦れによる外力からの保護および液体感知シートの強度アップや絶縁機能を持たしている。保護シート２・６は、導電性シート３・５の貫通部３１・５１に重複する通過孔２１・６１を有している。通過孔２１・６１は、貫通部３１・５１に重複する形状やサイズであれば良い。また、通過孔２１・６１には、上述の界面活性剤や、液体に溶解してイオン化する溶解部材が付着されていても良い。
【００９１】
保護シート２・６は、紙や不織布で形成されていても良いし、エポキシ系、ポリエステル系、アクリル系、フェノール系、及びウレタン系などの樹脂、またはこれらの混合物により形成されていても良い。尚、保護シート２・６の厚みは５〜２００μｍであるが、特に限定される必要はなく適宜設定可能である。また、保護シート２・６がＰＥＴフィルムで形成されていた場合には、ＰＥＴフィルムの表面に親水性処理がなされていることが望ましい。親水性処理は、親水性樹脂コートやコロナ処理、プラズマ処理などである。
【００９２】
保護シート２・６と導電性シート３・５とは、接着剤８により接着されている。接着剤８は、上述の接着剤７と同一の材質であっても良いし、異なる材質であっても良い。また、接着剤８は、分散配置されていても良いし、保護シート２・６と導電性シート３・５との接合面全部に配置されていても良い。尚、保護シート２・６に導電性ペーストを塗布することにより導電性シート３・５を形成した場合には、接着剤８を省略することができる。
【００９３】
（液体検知センサー：液体感知シートの製造方法）
上記の構成において、液体感知シート１の製造方法を説明する。尚、製造方法の説明中の数値は例示であり、適宜変更可能である。先ず、１２μｍのＰＥＴ（Polyethylene terephthalate）フィルムや紙、不織布が絶縁シート４として準備される。尚、ＰＥＴフィルムの場合には、透液構造を有するように、複数の孔やスリットが均等に分散するように加工される。
【００９４】
また、６μｍの銅箔や９μｍのアルミニウム箔が導電性シート３・５として準備されると共に、１２μｍのＰＥＴフィルムや紙、不織布が保護シート２・６として準備される。そして、導電性シート３・５上に接着剤８を介して保護シート２・６が接合される。この後、一体化された導電性シート３・５及び保護シート２・６に対して穴明け加工やスリット加工が行われることによって、貫通部３１・５１及び通過孔２１・６１が形成される。
【００９５】
次に、穴明け加工やスリット加工された保護シート２・６付きの導電性シート３・５の面に、接着剤７が均等に分散して塗布される。接着剤７の塗布された面が上述の絶縁シート４に当接するように、保護シート２・６付きの導電性シート３・５が絶縁シート４に積層される。尚、絶縁シート４と導電性シート３・５との積層は、絶縁シート４の両面に対して同時のタイミングで行われても良いし、異なるタイミングで行われても良い。また、接着剤７は、絶縁シート４に塗布されてもよい。この後、保護シート２・６と導電性シート３・５と絶縁シート４との積層部材が加熱され、接着剤７が硬化されることによって、図１０の液体感知シート１が製造される。
【００９６】
上記の製造方法は、保護シート２・６、導電性シート３・５、及び絶縁シート４を所定寸法に分割することによりバッチ単位で行われても良いし、長尺の帯状物とすることにより連続的に行われても良い。また、上記の製造方法は、薄い液体感知シート１の製造が可能であり、液体感知シート１のどの位置をカットしてもセンサーとして使用できる、即ち、高収率で製造できるという利点がある。
【００９７】
（液体検知センサー：液体感知シートの変形例）
本実施形態において、接着剤７を用いて導電性シート３・５と絶縁シート４とを接合する場合について説明したが、これに限定されるものではない。具体的に説明すると、図１５に示すように、液体感知シート１０１は、液体の介在により導電性を発揮する透液構造の絶縁シート４と、絶縁シート４の両面に接合された導電性接着剤からなる導電性シート３・５とを備えており、導電性シート３・５の少なくとも一方が、液体を通過させる貫通部３１・５１を有した構成にされていても良い。
【００９８】
上記の構成によれば、導電性接着剤からなる導電性シート３・５と絶縁シート４とを面全体で接合することができるため、所望のサイズや形状に切り取っても、同一の感知性能及び接合強度を有した液体感知シート１０１として用いることができる。即ち、従来のようにシートの周縁部を接着剤で接合した構成の場合には、サイズや形状が限定されるが、上記の構成によれば、サイズや形状を任意に変更できるため、適用対象の自由度が高い液体感知シート１０１とすることができる。さらに、導電性シート３・５自体で絶縁シート４に接着することができるため、図９の接着剤７を用いた接着が不要になることから簡単な構成の液体感知シート１０１を容易に得ることができる。
【００９９】
ここで、導電性シート３・５の導電性接着剤としては、等方導電性接着剤が好ましいが、異方導電性接着剤でもよい。等方導電性接着剤は、導電性シート３・５の厚み方向および幅方向、長手方向からなる三次元の全方向に電気的な導電状態が確保される。導電性接着剤は、接着剤に導電性フィラーが添加されて形成される。難燃性が要求される場合は更に難燃剤を添加する。
【０１００】
液体感知シート１の導電性シート３・５に導電性接着剤を適用する場合、導電性シート３・５の厚みの下限は、５μｍであり、１０μｍが好ましい。また、厚みの上限は、１００μｍであり、５０μｍが好ましい。
【０１０１】
導電性接着剤に含まれる接着剤は、接着性樹脂として、ポリスチレン系、酢酸ビニル系、ポリエステル系、ポリエチレン系、ポリプロピレン系、ポリアミド系、ゴム系、アクリル系などの熱可塑性樹脂や、フェノール系、エポキシ系、ウレタン系、メラミン系、アルキッド系などの熱硬化性樹脂で構成されている。尚、接着剤は、上記樹脂の単体でも混合体でもよい。また、接着剤は、粘着性付与剤をさらに含んでいてもよい。粘着性付与剤としては、脂肪酸炭化水素樹脂、Ｃ５／Ｃ９混合樹脂、ロジン、ロジン誘導体、テルペン樹脂、芳香族系炭化水素樹脂、熱反応性樹脂などのタッキファイヤーが挙げられる。
【０１０２】
導電性接着剤に添加される導電性フィラーは、金属材料により一部または全部が形成されている。例えば、導電性フィラーは、銅粉、銀粉、ニッケル粉、銀コート銅粉（ＡｇコートＣｕ粉）、金コート銅粉、銀コートニッケル粉（ＡｇコートＮｉ粉）、金コートニッケル粉があり、これら金属粉は、アトマイズ法、カルボニル法などにより作製することができる。また、上記以外にも、金属粉に樹脂を被覆した粒子、樹脂に金属粉を被覆した粒子を用いることもできる。さらに、導電性接着剤には、１以上の種類の導電性フィラーが混合されて添加されてもよい。尚、導電性フィラーは、ＡｇコートＣｕ粉、またはＡｇコートＮｉ粉であることが好ましい。この理由は、安価な材料により導電性の安定した導電性粒子を得ることができるからである。
【０１０３】
導電性フィラーは、接着性樹脂に対して、１０〜４００ｗｔ％の範囲で添加される。また、導電性フィラーの平均粒径は、２〜５０μｍの範囲が好ましいが、導電性シート３・５の厚みによって最適な値を選択すればよい。金属フィラーの形状は、球状、針状、繊維状、フレーク状、樹脂状のいずれであってもよい。
【０１０４】
難燃剤としては、環境上の問題からノンハロゲン系難燃剤が好ましく、メラミンシアヌレート、ポリリン酸メラミン等の窒素系難燃剤や水酸化マグネシウム、水酸化アルミニウム等の金属水和物、又は、燐酸エステル、赤リン等のリン系難燃剤等が挙げられるが、耐熱性が要求される場合には、メラミンシアヌレート、水酸化マグネシウムが好ましい。
【０１０５】
以上の詳細な説明では、本発明をより容易に理解できるように、特徴的部分を中心に説明したが、本発明は、以上の詳細な説明に記載する実施形態に限定されず、その他の実施形態にも適用することができ、その適用範囲は可能な限り広く解釈されるべきである。
【０１０６】
また、本明細書において用いた用語及び語法は、本発明を的確に説明するために用いたものであり、本発明の解釈を制限するために用いたものではない。また、当業者であれば、本明細書に記載された発明の概念から、本発明の概念に含まれる他の構成、システム、方法等を推考することは容易であると思われる。従って、請求の範囲の記載は、本発明の技術的思想を逸脱しない範囲で均等な構成を含むものであるとみなされるべきである。また、本発明の目的及び本発明の効果を充分に理解するために、すでに開示されている文献等を充分に参酌することが望まれる。
【符号の説明】
【０１０７】
１  液体感知シート
２  保護シート
３  導電性シート
４  絶縁シート
５  導電性シート
６  保護シート
７  接着剤
８  接着剤
２１  透過孔
３１  貫通部
５１  貫通部
６１  透過孔
１０１  液体感知シート
２０１  液体検知センサー
２０２  粘着部材
２０３  透液シート
２０２２  粘着材
２０２３  粘着用フィルム
【図１】
0005921275.tif 000002
【図２】
0005921275.tif 000003
【図３】
0005921275.tif 000004
【図４】
0005921275.tif 000005
【図５】
0005921275.tif 000006
【図６】
0005921275.tif 000007
【図７】
0005921275.tif 000008
【図８】
0005921275.tif 000009
【図９】
0005921275.tif 000010
【図１０】
0005921275.tif 000011
【図１１】
0005921275.tif 000012
【図１２】
0005921275.tif 000013
【図１３】
0005921275.tif 000014
【図１４】
0005921275.tif 000015
【図１５】
0005921275.tif 000016